(57)【要約】【課題】アウター部品の取り付けが容易にできる建具を提供する。【解決手段】四方を枠組みして構成され、枠内でサッシ障子３が左右方向Ｘ２に走行可能に配置されたサッシ枠２と、サッシ枠２の屋外側に設けられた網戸４と、網戸４の屋外側においてサッシ枠２のサッシ上枠２１及びサッシ下枠２２の屋外面に連結され、アタッチメント障子６が左右方向Ｘ２に走行可能な走行レール５３、５４を有するアタッチメント枠５と、アタッチメント障子５の屋外側に支持され、格子部材８が掛止されるアタッチメント７と、を備え、アタッチメント７は、アタッチメント障子６の走行レール５３、５４よりも屋外側に張り出した状態で設けられた構成の建具を提供する。【選択図】図１
2019178499.tif 000002
【特許請求の範囲】
【請求項１】
四方を枠組みして構成され、枠内で第１障子が左右方向に走行可能に配置された第１障子枠と、
前記第１障子枠の屋外側に設けられた網戸と、
前記網戸よりも屋外側に第２障子が左右方向に走行可能な走行レールを有する第２障子枠と、
前記第２障子に支持され、アウター部材が掛止されるアタッチメントと、
を備え、
前記アタッチメントは、前記第２障子の前記走行レールよりも屋外側に張り出した状態で設けられていることを特徴とする建具。
【請求項２】
前記第２障子枠は、少なくとも前記第１障子枠の上枠および下枠の屋外面に連結材を介して連結されている請求項１に記載の建具。
【請求項３】
前記アタッチメントの上端部は、少なくとも前記第２障子枠の上枠に重なる高さに位置している請求項１又は２に記載の建具。
【請求項４】
前記アウター部材は、格子状に形成されている請求項１〜３のいずれか一項に記載の建具。
【発明の詳細な説明】
【技術分野】
【０００１】
本発明は、建具に関する。
【背景技術】
【０００２】
従来、１枚の可動障子からなるスライド構造のサッシとして、例えば、特許文献１に示されるような、開口部に設けられたサッシ枠の下枠に形成された溝に沿って障子を水平方向に走行させる引戸が知られている。このような引戸では、一般的に障子の屋外側に網戸が設けらている。
【先行技術文献】
【特許文献】
【０００３】
【特許文献１】特開２０１７−８６０１号公報
【発明の概要】
【発明が解決しようとする課題】
【０００４】
しかしながら、従来の引戸では、障子を開けた際に、その障子が引戸の開口部を形成する壁面に沿って走行する構造となっているものが多い。このような障子の外側には網戸などが存在するため、網戸などと干渉しないように格子などのアウター部品を取り付け難かった。
【０００５】
本発明は、上述する問題点に鑑みてなされたもので、アウター部品の取り付けが容易にできる建具を提供することを目的とする。
【課題を解決するための手段】
【０００６】
上記目的を達成するため、本発明に係る建具は、四方を枠組みして構成され、枠内で第１障子が左右方向に走行可能に配置された第１障子枠と、前記第１障子枠の屋外側に設けられた網戸と、前記網戸よりも屋外側に第２障子が左右方向に走行可能な走行レールを有する第２障子枠と、前記第２障子に支持され、アウター部材が掛止されるアタッチメントと、を備え、前記アタッチメントは、前記第２障子の前記走行レールよりも屋外側に張り出した状態で設けられていることを特徴としている。
【０００７】
本発明によれば、第２障子を走行可能に支持する第２障子枠よりも屋外側にアタッチメントが張り出しており、アタッチメントに掛止される面材や意匠部材等のアウター部材も第２障子枠よりも屋外側に配置される。そのため、第２障子よりも屋内側を走行する網戸や第１障子にアウター部品が干渉しない。
【０００８】
また、本発明では、第１障子及び網戸の位置に合わせて、第２障子を第２障子枠の走行レールに沿って左右方向に移動させることができる。第２障子が第１障子及び網戸の屋外側に配置されるので、例えば第１障子を全開にしたときにも、第１障子の収納側にアタッチメントに係止させた例えば面材からなるアウター部材を配置させておくことで、屋外側から第１障子が見えにくい構成とすることが可能となる。
【０００９】
また、アタッチメントが第２障子枠の走行レールや第２障子よりも屋外側に張り出しているので、アウター部材の屋外側から第２障子枠に手が届きにくくなり、走行時の第２障子に対する人の接触を防ぐことができる。
さらに、本発明では、面材等のアウター部材がアタッチメントに掛止されて支持され、耐風圧に強い構造となるので、大きいサイズの障子にアウター部材を設ける場合であっても強風時に面材が吹き飛ばされたり、変形したりすることを防止することができる。
【００１０】
また、本発明に係る建具は、前記第２障子枠が、少なくとも前記第１障子枠の上枠および下枠の屋外面に連結材を介して連結されていることが好ましい。
【００１１】
この場合には、第１障子枠と第２障子枠とが連結材によって連結されるため、簡易な構造で施工も容易に第１障子枠と第２障子枠とを一体化することができる。
【００１２】
また、本発明に係る建具は、前記アタッチメントの上端部が、少なくとも前記第２障子枠の上枠に重なる高さに位置していることが好ましい。
【００１３】
この場合には、アタッチメントとともにアウター部材の上端部が第２障子枠の上枠に重なる高さに設けられるので、屋外側から第２障子枠の上枠が見えにくくなり、意匠性をより向上することができる。
【００１４】
また、本発明に係る建具は、前記アウター部材は、格子状に形成されている構成とすることができる。
【００１５】
この場合には、格子状にすることで防犯性や採光性に優れたアウター部材を設けることができる。また、第１障子を閉じた状態で、第１障子の屋外側に格子状のアウター部材を配置することで、強風時の飛散物から第１障子のガラスを保護することができる。
【発明の効果】
【００１６】
本発明の建具によれば、アウター部品の取り付けが容易にできる。
【図面の簡単な説明】
【００１７】
【図１】本発明の実施形態による片引き戸を示す縦断面図である。
【図２】サッシ障子を全開状態とした片引き戸の水平断面図であって、アタッチメント障子をサッシ障子の屋外側に配置した状態を示す図である。
【図３】サッシ障子を全開状態とした片引き戸の水平断面図であって、アタッチメント障子を開口部側に配置した状態を示す図である。
【図４】図１において、アタッチメント上枠とサッシ上枠の取り付け構造を示す要部拡大図である。
【図５】図１において、アタッチメント下枠とサッシ下枠の取り付け構造を示す要部拡大図である。
【図６】アタッチメントと格子部材の構成を示す側断面図である。
【図７】アタッチメントと格子部材の構成を示す水平断面図である。
【発明を実施するための形態】
【００１８】
以下、本発明の一実施形態による建具の一例として、建築物の開口部に設けられる片引き戸について、図面に基づいて説明する。
【００１９】
図１から図３に示す本実施形態による片引き戸１（建具）は、建築物の開口部に設けられ、四方を枠組みして四角形枠状に構成されたサッシ枠２と、サッシ枠２内で左右方向Ｘ２にスライド可能に設けられたサッシ障子３（第１障子）と、サッシ枠２の屋外側に設けられた網戸４と、網戸４の屋外側においてサッシ枠２のサッシ上枠２１及びサッシ下枠２２の屋外面に固定されたアタッチメント枠５と、アタッチメント枠５に設けられた走行レール５１に沿って左右方向Ｘ２にスライド可能に設けられたアタッチメント障子６（第２障子）と、アタッチメント障子６の屋外側に支持され、図１に示す格子部材８（アウター部材）が連結可能に設けられたアタッチメント７と、を備えている。
【００２０】
片引き戸１は、アルミニウムと樹脂の複合のサッシである。
サッシ障子３は、図２及び図３に示す全開状態Ｐ２において屋内側から見て戸袋側に上下左右の框３１〜３４がすべて隠れる構成になっている。すなわち、サッシ枠２には左右領域のうち一方（本実施形態では屋内側から見て右側）の領域の屋内側に躯体Ｋが設けられ、他方（屋内側から見て左側）の領域の屋内側に屋内外方向Ｘ１に連通する開口部２Ａが形成された外付け構造となっている。
【００２１】
以下の説明において、屋外側と屋内側とを結ぶ方向を屋内外方向Ｘ１とし、建築物の開口部が躯体Ｋを貫通する方向から見た際の左側と右側を結ぶ水平方向を左右方向Ｘ２とする。また、片引き戸１を構成する各部材や部品などは、前記開口部に設けられている姿勢であるものとして、その姿勢における屋内外方向Ｘ１および左右方向Ｘ２を用いて説明する。左右方向Ｘ２において、サッシ障子３を閉じる方向を閉方向といい、開く方向を開方向という。
【００２２】
図１から図３に示すように、サッシ枠２は、全体が矩形状に形成され、建築物の屋外側に配置される外付け用となっている。サッシ枠２は、左右方向Ｘ２に延在するサッシ上枠２１及びサッシ下枠２２と、サッシ上枠２１の両端部とサッシ下枠２２の両端部とをそれぞれ連結し上下方向Ｘ３に延在するサッシ縦枠２３、２４と、を有している。
左右のサッシ縦枠２３、２４同士の間の左右方向Ｘ２の中間部分には、方立２５が設けられている。方立２５は、サッシ上枠２１とサッシ下枠２２とのそれぞれの左右方向Ｘ２の中間部分に連結されている。
【００２３】
サッシ障子３を全開にしたときの開口２Ａを形成する開口枠２０は、サッシ上枠２１、下枠２２、一方のサッシ縦枠２３、及び方立２５を四辺に配置した枠部である。なお、開口枠２０は、開口２Ａを形成する枠部材であって、上述したサッシ障子３を左右方向Ｘ２にスライド可能に支持するサッシ枠２とは一致するものではない。
【００２４】
図２及び図３に示すように、一対の縦枠２３、２４は、それぞれアルミ合金等の金属製である。一対のサッシ縦枠２３、２４のうち、サッシ障子３の戸先框３３に対向する側を第１縦枠２３とし、サッシ障子３の召合框３４に対向する側を第２縦枠２４として、以下説明する。
【００２５】
第１縦枠２３は、屋外側に配置されサッシ障子３の戸先框３３を開閉自在に係止する屋外側枠部２３Ａと、屋外側枠部２３Ａの屋内側に配置され開口部２Ａを形成する樹脂製の縦枠カバー２６が取り付けられる屋内側枠部２３Ｂと、を有している。
【００２６】
第２縦枠２４は、屋外側に配置されサッシ障子３の召合框３４を開閉自在に係止する屋外側枠部２４Ａと、屋外側枠部２４Ａの屋内側に配置され躯体Ｋが取り付けられる屋内側枠部２４Ｂと、を有している。
【００２７】
サッシ上枠２１は、図１に示すように、サッシ障子３の上框３１を左右方向Ｘ２にスライド可能に支持するサッシ上走行レール２１１を有する屋外側上枠部２１Ａと、屋外側上枠部２１Ａの屋内側に配置され開口２Ａを形成する上枠カバー２１Ｃが取り付けられる屋内側上枠部２１Ｂと、を有している。
【００２８】
屋外側上枠部２１Ａには、屋外側を向く外板２１２の下端から下方に向けて突出するとともに、左右方向Ｘ２に延びて網戸４をスライド可能に支持する網戸レール２１３が設けられている。外板２１２の屋外側の面（第１固定面２１２ａ）には、屋外側に向けて突出する第１連結片２１５がねじ９１（連結材）によって固定されている。
【００２９】
第１連結片２１５には、後述するアタッチメント枠５のアタッチメント上枠５１が係止される。第１連結片２１５は、図４に示すように、外板２１２の第１固定面２１２ａに当接して固定される固定板２１５Ａと、固定板２１５Ａの上下端から屋外側に突出し、その突出端に設けられた一対の上向き突起２１５Ｂと、を有している。上向き突起２１５Ｂには後述するアタッチメント枠５のアタッチメント上枠５１に形成される下向き突起５１２が係止される。
【００３０】
また、屋外側上枠部２１Ａには、図１に示すように、サッシ上走行レール２１１の屋内側にサッシ障子３を閉方向に所定速度で全閉位置まで引き寄せるためのソフトクローズ機構９のダンパー９Ａを収納するとともに左右方向Ｘ２に延びる上枠凹部２１４が設けられている。
【００３１】
サッシ下枠２２は、サッシ障子３の下框３２に設けられる戸車３６を左右方向Ｘ２にスライド可能に支持するサッシ下走行レール２２１を有する屋外側下枠部２２Ａと、屋外側下枠部２２Ａの屋内側に配置され開口２Ａを形成する樹脂製の下枠カバー２２Ｃが取り付けられる屋内側下枠部２２Ｂと、を有している。
【００３２】
屋外側下枠部２２Ａには、屋外側を向く外板２２２の上端から上方に向けて突出するとともに、左右方向Ｘ２に延びて網戸４をスライド可能に支持する網戸レール２２３が設けられている。外板２２２の屋外側の面（第２固定面２２２ａ）には、屋外側に向けて突出する第２突出片２２５がねじ９２（連結材）によって固定されている。
【００３３】
第２突出片２２５には、後述するアタッチメント枠５のアタッチメント下枠５２が係止される。第２連結片２２５は、図５に示すように、外板２２２の第２固定面２２２ａに当接して固定される固定板２２５Ａと、固定板２２５Ａの上下端から屋外側に突出し、その突出端に設けられた一対の上向き突起２２５Ｂと、を有している。上向き突起２２５Ｂには後述するアタッチメント枠５のアタッチメント下枠５２に形成される下向き突起５２２が係止される。
【００３４】
方立２５は、第２縦枠２４に支持される躯体Ｋの第１縦枠２３側の端部を支持する方立形材２５Ａと、方立形材２５Ａの第１縦枠２３側に係合される樹脂製の方立カバー２５Ｂと、を有している。
【００３５】
図１から図３に示すように、サッシ障子３は、左右方向Ｘ２に延在する上框３１および下框３２と、上下方向Ｘ３に延在する戸先框３３と召合框３４と、これらの框３１〜３４の内側で押縁により押さえられて支持されるガラス３５と、を有している。
【００３６】
上框３１は、図１に示すように、上枠２１の上枠外レール２１１に沿って左右方向Ｘ２に案内される走行溝３１１が形成されている。上框３１の上端板３１２の屋内側には、上枠２１の上枠凹部２５に収納されるダンパー９Ａに対して着脱可能に係止されるラッチ９Ｂが設けられている。
下框３２は、下枠２２の下枠外レール２２１に沿って左右方向Ｘ２に案内される戸車３６を収納する走行溝３２１が形成されている。
【００３７】
サッシ障子３は、全開した状態（全開状態Ｐ２）において、戸先框３３が屋内側から見て開口枠２０の屋外側に隠れるように構成されている。全開状態Ｐ２のサッシ障子３が引き込まれる際の引き込み代は、サッシ障子３の左右方向Ｘ２の寸法と同等以上に設定されている。
【００３８】
アタッチメント枠５は、図１から図３に示すように、アタッチメント障子６の上端を走行可能に支持する上走行レール５３が形成されたアタッチメント上枠５１と、アタッチメント障子６の下端を走行可能に支持する下走行レール５４が形成されたアタッチメント下枠５２と、を備えている。
【００３９】
アタッチメント上枠５１は、上走行レール５３が形成されたレール枠部５１Ａと、レール枠部５１Ａの屋内側に形成され、サッシ上枠２１に固定される第１係止部５１Ｂと、を有している。
レール枠部５１Ａは、屋内外方向Ｘ１に対向する一対の外壁５１ａ、内壁５１ｂを有している。上走行レール５３は、外壁５１ａ、内壁５１ｂのそれぞれの壁下端に設けられている。一対の上走行レール５３は、互いに対向する側に開口するとともに左右方向Ｘ２に延びる溝形状をなし、アタッチメント障子６の上戸車６５（後述する）を転動可能に支持している。
【００４０】
第１係止部５１Ｂは、図４に示すように、サッシ上枠２１の外板２１２に固定された第１連結片２１５の上向き突起２１５Ｂに係止される。第１係止部５１Ｂは、レール枠部５１Ａの内壁５１ｂの上端、及び上下方向Ｘ３の中間部分から屋内側に突出する突出壁５１１と、突出壁５１１の突出端に設けられた下向き突起５１２と、を有している。下向き突起５１２は、サッシ上枠２１に固定される第１連結片２１５の上向き突起２１５Ａに対して屋内側に重なった状態で係止されている。
【００４１】
アタッチメント下枠５２は、図１に示すように、下走行レール５４が形成されたレール枠部５２Ａと、レール枠部５２Ａの屋内側に形成され、サッシ下枠２２に固定される第２係止部５２Ｂと、を有している。
レール枠部５２Ａは、上方に向けて突出するとともに左右方向Ｘ２に延びる下走行レール５４が設けられている。下走行レール５４には、アタッチメント障子６の下戸車６６（後述する）が転動可能に載置されている。
【００４２】
第２係止部５２Ｂは、図５に示すように、サッシ下枠２２の外板２２２に固定された第２連結片２２５の上向き突起２２５Ｂに係止される。第２係止部５２Ｂは、レール枠部５２Ａの内壁５２ｂの上端、及び上下方向Ｘ３３の中間部分から屋内側に突出する突出壁５２１と、突出壁５２１の突出端に設けられた下向き突起５２２と、を有している。
下向き突起５２２は、サッシ下枠２２に固定される第２連結片２２５の上向き突起２２５Ａに対して屋内側に重なった状態で係止されている。
また、レール枠部５２Ａの下走行レール５４から屋内側に間隔をあけた内板５２３（当接面）は、第２連結片２２５の屋外側の端部（符号２２５ａ）に当接している。
【００４３】
このようにアタッチメント枠５の第１係止部５１Ｂと第２係止部５２Ｂが、サッシ枠２の第１連結片２１５、第２連結片２２５に係止する構造とすることで、アタッチメント枠５が屋外側に倒れるように傾くことを防止できるようになっている。
【００４４】
アタッチメント障子６は、図１から図３に示すように、全体が矩形状に形成され、アタッチメント枠５の上走行レール５３及び下走行レール５４に沿って左右方向Ｘ２に走行可能に設けられている。アタッチメント障子６は、左右方向Ｘ２に延在する上部材６１及び下部材６２と、上部材６１の両端部と下部材６２の両端部とをそれぞれ連結し上下方向Ｘ３に延在する縦部材６３、６４と、を有している。
【００４５】
上部材６１には、屋内外側のそれぞれの面において、アタッチメント上枠５１の上側走行レール５３に沿って転動可能に支持される上戸車６５が設けられている。
下部材６２には、アタッチメント下枠５２の下側走行レール５４に沿って転動可能に載置される下戸車６６が設けられている。
【００４６】
一対の縦部材６３、６４には、それぞれ上下方向Ｘ３に延びる張出し縦材６７が設けられている。張出し縦材６７の屋内外方向Ｘ１に沿う突出長は、任意に設定されるが、少なくとも突出端６７ａの位置がアタッチメント上枠５１及びアタッチメント下枠５２における屋外側の端面５１ａ、５２ａによりも屋外側に配置されている。
【００４７】
なお、本実施形態では、縦部材６３、６４にアタッチメント枠５に対して係合するロック部材（図示省略）が設けられている。アタッチメント７を介して格子部材８を備えたアタッチメント障子６は、ロック部材によるロック状態を解除したときにのみアタッチメント枠５の走行レール５３、５４に沿って走行可能となっている。
【００４８】
アタッチメント７は、アタッチメント障子６の張出し縦材６７の突出端６７ａに支持され、アタッチメント障子６の走行レール５３、５４よりも屋外側に張り出した状態で設けられている。
アタッチメント７は、図１、図２、図６及び図７に示すように、上下方向Ｘ３に延在する一対の縦材７１、７１と、両縦材７１、７１同士を連結して左右方向Ｘ２に延在する一対の横材７２、７２と、を有している。縦材７１は、それぞれ張出し縦材６７の屋外側の面に固定されている。縦材７１の上端７１ａは、少なくともアタッチメント枠５のアタッチメント上枠５１に重なる高さに位置している。
【００４９】
横材７２は、左右方向Ｘ２の両端のそれぞれが縦材７１、７１における互いに対向する面７１ｂに接続されている。横材７２の屋外側の外面７２ａには、屋外側に向けて突出するアウター係止片７３がねじによって固定されている。
アウター係止片７３には、アウター部材をなす格子部材８が係止される。アウター係止片７３は、図１に示すように、外面７２ａから屋外側に突出し、その突出端に設けられた一対の上向き突起７３ａを有している。上向き突起７３ａには、格子部材８の横支持材８１に形成されている下向き突起８１Ｂが係止される。
【００５０】
格子部材８は、アタッチメント７に連結され、左右方向Ｘ２に延在する複数の横支持材８１と、左右方向Ｘ２に間隔をあけて配列され上下方向Ｘ３に延びる複数の縦格子材８２と、を備えている。横支持材８１は、アタッチメント７のアウター係止片７３に対して上側から掛止させることで連結され、ねじやボルトで双方が一体的に固定されている。
縦格子材８２の上端８２ａは、縦材７１の上端７１ａとほぼ同じ高さとなる位置に設定されている。
【００５１】
次に、本実施形態による片引き戸１の作用について説明する。
本実施形態では、図１から図３に示すように、アタッチメント障子６を走行可能に支持するアタッチメント枠５よりも屋外側にアタッチメント７が張り出しており、屋外側から見てアタッチメント７に掛止される格子部材８もアタッチメント枠５よりも手前側に配置される。
そのため、屋外側から見たときには、格子部材８によってサッシ枠２やアタッチメント枠５が見えにくくなることから、建物の外観に合わせた意匠を実現することができ、意匠性を向上することができる。
【００５２】
また、本実施形態では、サッシ障子３及び網戸４の位置に合わせて、アタッチメント障子６をアタッチメント枠５の走行レール５３、５４に沿って左右方向Ｘ２に移動させることができる。そして、アタッチメント障子６がサッシ障子３及び網戸４の屋外側に配置されるので、例えばサッシ障子３を全開にしたときにも、サッシ障子３の収納側にアタッチメント５に係止させた格子部材８を配置させておくことで、屋外側からサッシ障子３が見えにくい構成とすることが可能となる。
【００５３】
また、本実施形態では、アタッチメント７がアタッチメント枠５の走行レール５３、５４やアタッチメント障子６よりも屋外側に張り出しているので、格子部材８の屋外側からアタッチメント枠５に手が届きにくくなり、走行時のアタッチメント障子６に対する人の接触を防ぐことができる。
【００５４】
さらに、本実施形態では、格子部材８がアタッチメント７に掛止されて支持され、耐風圧に強い構造となるので、大きいサイズの障子に格子部材８などのアウター部材を設ける場合であっても強風時に面材が吹き飛ばされたり、変形したりすることを防止することができる。
【００５５】
また、本実施形態では、アタッチメント７とともに格子部材８の縦格子材８２の上端８１ａが少なくともアタッチメント上枠５１に重なる高さに設けられるので、屋外側からアタッチメント上枠５１が見えにくくなり、意匠性をより向上することができる。
【００５６】
また、本実施形態では、格子状にすることで防犯性や採光性に優れた格子部材８を設けることができる。
さらに、サッシ障子３を閉じた状態で、サッシ障子３の屋外側に格子部材８を配置することで、強風時の飛散物からサッシ障子３のガラス３５を保護することができる。
【００５７】
このように本実施形態の片引き戸１によれば、建物の外観に合わせた意匠を実現することができ、意匠性を向上することができる。
【００５８】
以上、本発明による片引き戸の実施形態について説明したが、本発明は上記の実施形態に限定されるものではなく、その趣旨を逸脱しない範囲で適宜変更可能である。
【００５９】
例えば、本実施形態では、アタッチメント７に連結されるアウター部材として格子部材８を採用しているが、このような格子形状の意匠部であることに限定されることはなく、例えばルーバー等の面材を採用することができる。
【００６０】
また、アタッチメント７がアタッチメント障子６の走行レール５３、５４よりも屋外側に張り出した状態で設けられた構成であればよく、各部材（サッシ枠２、サッシ障子３、網戸４、アタッチメント枠５、アタッチメント障子６、アタッチメント７）の具体的な構成、寸法や接続構造などの構成については適宜変更可能である。
例えば、本実施形態では、アタッチメント７の上端部（縦材７１の上端７１ａ）が少なくともアタッチメント枠５のアタッチメント上枠５１に重なる高さに位置する構成としているが、このようにアタッチメント上枠５１にアタッチメント７の上端７１ａが重ならない構成であってもかまわない。
【００６１】
その他、本発明の趣旨を逸脱しない範囲で、上記した実施形態における構成要素を周知の構成要素に置き換えることは適宜可能である。
【符号の説明】
【００６２】
１  片引き戸（建具）
２  サッシ枠（第１障子枠）
３  サッシ障子（第１障子）
４  網戸
５  アタッチメント枠（第２障子枠）
６  アタッチメント障子（第２障子）
７  アタッチメント
８  格子部材（アウター部材）
２１  サッシ上枠（第１障子枠の上枠）
２２  サッシ下枠（第１障子枠の下枠）
２３  第１縦枠
２４  第２縦枠
５１  アタッチメント上枠（第２障子枠の上枠）
５２  アタッチメント下枠（第２障子枠の下枠）
５３  上走行レール
５４  下走行レール
７１  縦材
７１ａ  上端
９１，９２  ねじ（連結材）
Ｘ１  屋内外方向
Ｘ２  左右方向
Ｘ３  上下方向
【図１】
2019178499.tif 000003
【図２】
2019178499.tif 000004
【図３】
2019178499.tif 000005
【図４】
2019178499.tif 000006
【図５】
2019178499.tif 000007
【図６】
2019178499.tif 000008
【図７】
2019178499.tif 000009